(57)【要約】【課題】空間における電波の伝搬状態に基づいて照明装置の発光状態を制御することができる照明システムを提供する。【解決手段】照明システム１００は、無線タグ１０と、照明装置２０とを備える。無線タグ１０は、第一電波通信部１１を備える。照明装置２０は、光源２４と、第一電波通信部１１と通信する第二電波通信部２１と、第一電波通信部１１及び第二電波通信部２１の一方によって送信された信号の他方における受信状態を取得する取得部２６と、取得された受信状態に基づいて、光源２４の発光状態を制御する制御部２７とを備える。【選択図】図２
2020107391.tif 000002
【特許請求の範囲】
【請求項１】
無線通信装置と、
照明装置とを備え、
前記無線通信装置は、第一電波通信部を備え、
前記照明装置は、
光源と、
前記第一電波通信部と通信する第二電波通信部と、
前記第一電波通信部及び前記第二電波通信部の一方によって送信された信号の他方における受信状態を取得する取得部と、
取得された前記受信状態に基づいて、前記光源の発光状態を制御する制御部とを備える
照明システム。
【請求項２】
前記無線通信装置は、前記光源が発する光の照射範囲内に設置される
請求項１に記載の照明システム。
【請求項３】
前記無線通信装置は、さらに、前記第二電波通信部によって送信された前記信号の前記第一電波通信部における前記受信状態を計測する計測部を備え、
前記第二電波通信部は、計測された前記受信状態を示す受信状態情報を前記第一電波通信部から受信し、
前記取得部は、受信された前記受信状態情報から前記受信状態を取得する
請求項１または２に記載の照明システム。
【請求項４】
前記無線通信装置は、さらに、前記第一電波通信部、及び、前記計測部を収容する収容体を備える
請求項３に記載の照明システム。
【請求項５】
前記制御部は、取得された前記受信状態と閾値とを比較することにより、前記光源の発光状態を制御し、
前記取得部は、前記第一電波通信部と前記第二電波通信部との間に物体が存在しない状態における第一受信状態、及び、前記第一電波通信部と前記第二電波通信部との間に前記物体が存在する状態における第二受信状態を取得し、
前記制御部は、取得された前記第一受信状態及び前記第二受信状態に基づいて前記閾値を決定する
請求項１〜４のいずれか１項に記載の照明システム。
【請求項６】
前記制御部は、取得された前記第一受信状態、及び、取得された前記第二受信状態の差が所定値よりも小さい場合に、前記無線通信装置の設置位置に関する通知を行うための通知情報を前記第二電波通信部に送信させる
請求項５に記載の照明システム。
【請求項７】
照明システムが実行する制御方法であって、
前記照明システムは、
第一電波通信部を有する無線通信装置と、
光源、及び、前記第一電波通信部と通信する第二電波通信部を有する照明装置とを備え、
前記制御方法は、
前記第一電波通信部及び前記第二電波通信部の一方によって送信された信号の他方における受信状態を取得し、
取得された前記受信状態に基づいて、前記光源の発光状態を制御する
制御方法。
【発明の詳細な説明】
【技術分野】
【０００１】
本発明は、照明システム、及び、制御方法に関する。
【背景技術】
【０００２】
照明装置を無線通信によって制御する照明システムが知られている。このような照明システムの一例として、特許文献１には、光のビームを放出するように動作可能な光源と、無線信号を含む無線ビームを放出するように動作可能な無線モジュールとを含む照明器具とによって構成される照明システムが開示されている。
【先行技術文献】
【特許文献】
【０００３】
【特許文献１】特表２０１７−５２８９６２号公報
【発明の概要】
【発明が解決しようとする課題】
【０００４】
本発明は、空間における電波の伝搬状態に基づいて照明装置の発光状態を制御することができる照明システム、及び、制御方法を提供する。
【課題を解決するための手段】
【０００５】
本発明の一態様に係る照明システムは、無線通信装置と、照明装置とを備え、前記無線通信装置は、第一電波通信部を備え、前記照明装置は、光源と、前記第一電波通信部と通信する第二電波通信部と、前記第一電波通信部及び前記第二電波通信部の一方によって送信された信号の他方における受信状態を取得する取得部と、取得された前記受信状態に基づいて、前記光源の発光状態を制御する制御部とを備える。
【０００６】
本発明の一態様に係る制御方法は、照明システムが実行する制御方法であって、前記照明システムは、第一電波通信部を有する無線通信装置と、光源、及び、前記第一電波通信部と通信する第二電波通信部を有する照明装置とを備え、前記制御方法は、前記第一電波通信部及び前記第二電波通信部の一方によって送信された信号の他方における受信状態を取得し、取得された前記受信状態に基づいて、前記光源の発光状態を制御する。
【発明の効果】
【０００７】
本発明によれば、空間における電波の伝搬状態に基づいて照明装置の発光状態を制御することができる照明システム、及び、制御方法が実現される。
【図面の簡単な説明】
【０００８】
【図１】図１は、実施の形態に係る照明システムの概要を説明するための図である。
【図２】図２は、実施の形態に係る照明システムの機能構成を示すブロック図である。
【図３】図３は、無線タグの外観図である。
【図４】図４は、照明装置が備える光源が発する光の照射範囲、及び、照明装置が備える第二電波通信部の通信可能範囲の一例を示す図である。
【図５】図５は、閾値の設定方法のシーケンス図である。
【図６】図６は、無線タグの設置位置に関する通知を行うための画像の一例を示す図である。
【図７】図７は、実施の形態に係る照明システムの動作例１のフローチャートである。
【図８】図８は、実施の形態に係る照明システムの別の使用用途を説明するための図である。
【図９】図９は、実施の形態に係る照明システムが商品の在庫管理システムとして利用される例を説明するための図である。
【図１０】図１０は、実施の形態に係る照明システムを利用した商品の在庫管理システムの概要を示す図である。
【図１１】図１１は、無線タグ及び照明装置を複数組備える照明システムの概要を示す図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［構成］
まず、実施の形態に係る照明システムの構成について説明する。図１は、実施の形態に係る照明システムの概要を説明するための図である。
【００１２】
図１に示されるように、実施の形態に係る照明システム１００は、無線タグ１０と、照明装置２０とを備える。照明システム１００は、無線タグ１０と照明装置２０との間における電波の状態の変化に基づいて、照明装置２０の発光状態を制御することができる。図１の（ａ）に示されるように、商品棚３０に無線タグ１０が取り付けられれば、図１の（ｂ）に示されるように商品棚３０の前に人４０が通りかかると人４０が障害物となり無線タグ１０と照明装置２０との間の電波の伝搬状態が変化する。このような電波の伝搬状態の変化（言い換えれば、電波の乱れ）は、フェージングなどと呼ばれる場合がある。照明システム１００は、このようなフェージングに基づいて照明装置２０の発光状態を変化させることができる。例えば、人４０が商品棚３０の前に通りかかったときに照明装置２０の発光状態が変化すれば、アイキャッチ効果を得ることができる。
【００１３】
以下、照明システム１００が備える各構成要素について図２を参照しながら詳細に説明する。図２は、照明システム１００の機能構成を示すブロック図である。なお、図２では、照明システム１００に加えて、携帯端末５０が図示されている。
【００１４】
［無線タグ］
まず、無線タグ１０の構成について説明する。無線タグ１０は、無線通信装置の一例であって、照明装置２０から送信される信号を受信する受信機である。図３は、無線タグ１０の外観図である。図３に示されるように、無線タグ１０は、例えば、カード状である。無線タグ１０は、第一電波通信部１１と、第一信号処理部１２と、第一記憶部１３と、収容体１５とを備え、収容体１５には、第一電波通信部１１、第一信号処理部１２、及び、第一記憶部１３が収容される、無線タグ１０は、さまざまな場所に取り付けることができる。なお、無線タグ１０は、シール状またはスティック状などどのような形状であってもよい。無線タグ１０は、例えば、内部電源を有するアクティブ型であるが、照明装置２０から受信した電波によって動作するパッシブ型であってもよい。
【００１５】
第一電波通信部１１は、無線タグ１０が照明装置２０と電波通信を行うための無線通信回路である。電波通信における電波の周波数は、例えば、７００ＭＨｚ以上２．４ＧＨｚ以下である。なお、電波には、可視光及び赤外線は含まれない。
【００１６】
第一信号処理部１２は、第一電波通信部１１が照明装置２０から受信した信号の受信強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）を計測し、計測した受信強度を示す受信強度情報を第一電波通信部１１に照明装置２０へ送信させるための信号処理を行う。第一信号処理部１２は、例えば、マイクロコンピュータによって実現されるが、プロセッサまたは専用回路によって実現されてもよい。第一信号処理部１２は、計測部１４を有する。
【００１７】
計測部１４は、第一電波通信部１１が無線タグ１０から受信した信号の受信強度を計測する。なお、計測部１４は、第一電波通信部１１と一体のデバイスとして実現されてもよい。
【００１８】
第一記憶部１３は、第一信号処理部１２が上記信号処理を行うために実行するプログラム等が記憶される記憶装置である。第一記憶部１３は、例えば、半導体メモリなどによって実現される。
【００１９】
なお、無線タグ１０は、メタマテリアルなどの材料を備え、無線タグ１０が誘電体などに取り付けられたときの特性劣化が抑制された構成であってもよい。
【００２０】
［照明装置］
次に、照明装置２０について説明する。照明装置２０は、照明装置２０が設置された空間を照明する。照明装置２０は、具体的には、ペンダントライトであるが、シーリングライト、ダウンライト、または、スポットライトなどであってもよく、照明装置２０の具体的態様は、特に限定されない。照明装置２０は、第二電波通信部２１と、第二信号処理部２２と、発光制御回路２３と、光源２４と、第二記憶部２５とを備える。
【００２１】
第二電波通信部２１は、照明装置２０が無線タグ１０と無線通信を行うための無線通信回路である。第二電波通信部２１は、例えば、第二信号処理部２２の制御に基づいて、受信強度の計測用の信号（以下、単に計測用信号とも記載される）を送信する。また、第二電波通信部２１は、受信強度情報を無線タグ１０から受信する。
【００２２】
第二信号処理部２２は、照明装置２０に関する信号処理を行う。第二信号処理部２２は、例えば、マイクロコンピュータによって実現されるが、プロセッサまたは専用回路によって実現されてもよい。第二信号処理部２２は、取得部２６と、制御部２７とを備える。
【００２３】
取得部２６は、受信強度情報から受信強度を取得する。制御部２７は、取得された受信強度に基づいて、光源２４の発光状態を制御する。発光状態の制御は、例えば、点灯及び消灯を含む調光制御であるが、光源２４が調色に対応している場合は調色制御であってもよい。また、発光制御は、スケジュールに基づいて光源２４を制御するスケジュール制御であってもよい。
【００２４】
発光制御回路２３は、制御部２７の制御に基づいて電圧及び電流を光源２４に供給する。発光制御回路２３は、具体的には、ＰＷＭ（Ｐｕｌｓｅ  Ｗｉｄｔｈ  Ｍｏｄｕｌａｔｉｏｎ）制御回路などの調光回路である。
【００２５】
光源２４は、発光制御回路２３から供給される電圧及び電流によって発光する照明用の白色光源である。光源２４は、具体的には、蛍光管またはＬＥＤなどによって実現される。光源２４は、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子であってもよい。
【００２６】
第二記憶部２５は、制御部２７が実行する制御プログラム等が記憶される記憶装置である。第二記憶部２５は、例えば、半導体メモリなどによって実現される。
【００２７】
なお、図４に示されるように、照明装置２０は、光源２４が発する光の照射範囲２８内に、第二電波通信部２１の通信可能範囲２９を有している。図４は、光源２４が発する光の照射範囲２８、及び、第二電波通信部２１の通信可能範囲２９の一例を示す図である。そこで、無線タグ１０は、例えば、光源２４が発する光の照射範囲２８内に設置される。
【００２８】
［携帯端末］
次に、携帯端末５０について説明する。携帯端末５０は、無線タグ１０及び照明装置２０を相互に通信可能な状態にする初期設定作業（ペアリング作業などとも呼ばれる）に用いられる携帯型の情報端末である。また、後述のように、携帯端末５０は、閾値の設定にも用いられる。また、携帯端末５０は、初期設定後は、照明装置２０のリモートコントローラとして使用することができる。携帯端末５０は、具体的には、例えば、タブレット端末またはスマートフォンである。携帯端末５０は、操作受付部５１と、情報処理部５２と、第三電波通信部５３と、記憶部５４と、表示部５５とを備える。
【００２９】
操作受付部５１は、照明システム１００のユーザ、または、初期設定作業を行う作業者などの操作を受け付ける。操作受付部５１は、例えば、タッチパネル、及び、ハードウェアボタンなどによって実現される。
【００３０】
情報処理部５２は、操作受付部５１によって受け付けられた操作に基づいて、各種情報処理を行う。情報処理部５２は、例えば、マイクロコンピュータによって実現されるが、プロセッサによって実現されてもよい。
【００３１】
第三電波通信部５３は、携帯端末５０が照明装置２０と通信を行うための無線通信回路である。
【００３２】
記憶部５４は、情報処理部５２によって実行される制御プログラムなどが記憶される記憶装置である。記憶部５４は、例えば、半導体メモリによって実現される。
【００３３】
表示部５５は、情報処理部５２の制御に基づいて画像を表示する。表示部５５は、具体的には、液晶パネルまたは有機ＥＬパネルなどを表示デバイスとして含むディスプレイである。
【００３４】
［閾値の設定方法］
照明システム１００において、照明装置２０の制御部２７は、具体的には、取得部２６によって取得された受信強度と閾値とを比較することにより、光源２４の発光状態を制御する。この閾値は、あらかじめ定められた値であってもよいが、ユーザによって任意に設定されてもよい。以下、閾値の設定方法について説明する。図５は、閾値の設定方法のシーケンス図である。
【００３５】
まず、ユーザは、無線タグ１０と照明装置２０との間（つまり、第一電波通信部１１と第二電波通信部２１との間）に検知対象の物体が存在しない状態（例えば、図１の（ａ）のような状態）を作り、この状態における受信強度の計測を指示する第一操作を行う。携帯端末５０の情報処理部５２は、操作受付部５１によって第一操作が受け付けられると（Ｓ１１）、第三電波通信部５３に照明装置２０へ第一指示信号を送信させる（Ｓ１２）。
【００３６】
照明装置２０の第二信号処理部２２は、第二電波通信部２１によって第一指示信号が受信されると、受信強度の計測用の信号（以下、単に計測用信号とも記載される）を第二電波通信部２１に送信させる（Ｓ１３）。計測用信号は、所定期間よりも長い期間、継続して送信される。
【００３７】
無線タグ１０の計測部１４は、第一電波通信部１１によって計測用信号が受信されている間、計測用信号の受信強度を計測する（Ｓ１４）。第一信号処理部１２は、計測された受信強度の所定期間における平均値を示す第一受信強度情報を生成し、生成した第一受信強度情報を第一電波通信部１１に送信させる（Ｓ１５）。
【００３８】
照明装置２０の取得部２６は、第二電波通信部２１によって受信された第一受信強度情報から第一受信強度（具体的には、上記所定期間における平均値）を取得し（Ｓ１６）、第二信号処理部２２は、取得された第一受信強度を第二記憶部２５に記憶する（Ｓ１７）。
【００３９】
次に、ユーザは、無線タグ１０と照明装置２０との間（つまり、第一電波通信部１１と第二電波通信部２１との間）に検知対象の物体が存在する状態（例えば、図１の（ｂ）のような状態）を作り、この状態における受信強度の計測を指示する第二操作を行う。携帯端末５０の情報処理部５２は、操作受付部５１によって第二操作が受け付けられると（Ｓ１８）、第三電波通信部５３に照明装置２０へ第二指示信号を送信させる（Ｓ１９）。
【００４０】
照明装置２０の制御部２７は、第二電波通信部２１によって第二指示信号が受信されると、計測用信号を第二電波通信部２１に送信させる（Ｓ２０）。計測用信号は、所定期間よりも長い期間、継続して送信される。
【００４１】
無線タグ１０の計測部１４は、第一電波通信部１１によって計測用信号が受信されている間、計測用信号の受信強度を計測する（Ｓ２１）。第一信号処理部１２は、計測された受信強度の所定期間における平均値を示す第二受信強度情報を生成し、生成した第二受信強度情報を第一電波通信部１１に送信させる（Ｓ２２）。
【００４２】
照明装置２０の取得部２６は、第二電波通信部２１によって受信された第二受信強度情報から第二受信強度（具体的には、所定期間における平均値）を取得し（Ｓ２３）、第二信号処理部２２は、取得された第二受信強度を第二記憶部２５に記憶する（Ｓ２４）。
【００４３】
そして、制御部２７は、第二記憶部２５に記憶された第一受信強度及び第二受信強度に基づいて閾値を決定する（Ｓ２５）。制御部２７は、例えば、第一受信強度及び第二受信強度の平均値を閾値として決定するが、第一受信強度よりも小さく第二受信強度よりも大きい値を閾値として決定すればよい。決定された閾値は、第二記憶部２５に記憶される。
【００４４】
以上説明したように、ユーザは、携帯端末５０を操作することにより、閾値を設定することができる。
【００４５】
なお、無線タグ１０と照明装置２０との間に物体がある場合は、受信強度は低下する傾向にあるため、第二受信強度は、第一受信強度よりも小さくなるはずである。にもかかわらず、第二受信強度と第一受信強度とがあまり変わらないような場合、無線タグ１０の設置位置が適切でない可能性がある。
【００４６】
そこで、制御部２７は、取得された第一受信状態、及び、取得された第二受信状態の差が所定値よりも小さい（つまり、第二受信強度と第一受信強度とにあまり差がない）場合に、無線タグ１０の設置位置に関する通知を行うための通知情報を第二電波通信部２１に送信させる。携帯端末５０の情報処理部５２は、第三電波通信部５３によって通知情報が受信されると、表示部５５に無線タグ１０の設置位置に関する通知を行うための画像を表示させる。図６は、無線タグ１０の設置位置に関する通知を行うための画像の一例を示す図である。
【００４７】
このような画像が表示されれば、ユーザは、無線タグ１０の設置位置を見直すことができる。無線タグ１０の設置位置が見直された後に上記ステップＳ１１〜ステップＳ２５の処理がもう一度行われれば、適切な閾値が設定される。
【００４８】
［動作例］
次に、照明システム１００の動作例について説明する。図７は、照明システム１００の動作例のフローチャートである。
【００４９】
まず、制御部２７は、発光制御回路２３を介して光源２４を第一発光状態で発光させる（Ｓ３１）。第一発光状態は、例えば、通常の発光状態であるが、消灯状態であってもよい。第一発光状態は特に限定されない。
【００５０】
次に、制御部２７は、計測用信号を第二電波通信部２１に無線タグ１０へ送信させる（Ｓ３２）。無線タグ１０は、第一電波通信部１１によって受信された計測用信号の受信強度を計測部１４によって計測し、計測された受信強度を示す受信強度情報を第一電波通信部１１によって送信する。
【００５１】
第二電波通信部２１は、受信強度情報を受信し（Ｓ３３）、取得部２６は、第二電波通信部２１によって受信された受信強度情報から受信強度を取得する（Ｓ３４）。
【００５２】
制御部２７は、取得された受信強度と第二記憶部２５に記憶された閾値とを比較することにより、受信強度が閾値未満であるか否かを判定する（Ｓ３５）。
【００５３】
受信強度が閾値以上である場合、無線タグ１０と照明装置２０との間には物体が存在せず、図１の（ａ）の状態に近いと考えられる。そこで、制御部２７は、受信強度が閾値以上であると判定すると（Ｓ３５でＮｏ）、第一発光状態で光源２４を発光させたまま、再び計測用信号を送信する（Ｓ３１）。
【００５４】
一方、受信強度が閾値未満である場合、無線タグ１０と照明装置２０との間には物体が存在し、図１の（ｂ）の状態に近いと考えられる。そこで、制御部２７は、受信強度が閾値未満であると判定すると（Ｓ３５でＹｅｓ）、発光制御回路２３を介して光源２４を第一発光状態と異なる第二発光状態で発光させる（Ｓ３６）。つまり、光源２４の発光状態が変更される。第二発光状態は、例えば、第一発光状態と明るさ及び色温度の少なくとも一方が異なる発光状態である。第二発光状態は第一発光状態と異なればよく、具体的な状態については特に限定されない。
【００５５】
以上説明したように、照明システム１００は、無線タグ１０及び照明装置２０の間の電波の伝搬状態に基づいて光源２４の発光状態を制御することができる。具体的には、照明システム１００は、第二電波通信部２１によって送信された計測用信号の第一電波通信部１１における受信状態に基づいて、光源２４の発光状態を制御することができる。
【００５６】
［変形例１］
上記実施の形態では、無線タグ１０によって受信強度が計測された。しかしながら、照明装置２０によって受信強度が計測されてもよい。この場合、照明装置２０は、指示信号を無線タグ１０に送信し、無線タグ１０は、指示信号に応じて計測用信号を照明装置２０に返信する。照明装置２０は、返信された計測用信号の受信強度を計測する計測部を備える。
【００５７】
このような構成によれば、無線タグ１０の構成をさらに簡素化することができ、無線タグ１０の小型化及び薄型化が容易となる。
【００５８】
［変形例２］
上記実施の形態では、受信強度の絶対値が判定に用いられたが、受信強度の絶対値は、受信状態の一例であり、受信状態は、受信強度の絶対値に限定されない。例えば、判定には、受信強度の振れ幅が用いられてもよい。発明者らの知見によれば、無線タグ１０と照明装置２０との間に物体が存在する場合には、受信強度の振れ幅が大きくなり、無線タグ１０と照明装置２０との間に物体が存在しない場合には、受信強度の振れ幅が小さくなる。そこで、この場合、制御部２７は、受信強度の振れ幅が閾値未満であると判定すると、光源２４の第一発光状態を維持し、受信強度の振れ幅が閾値以上であると判定すると、光源２４を第一発光状態から第二発光状態に変更する。
【００５９】
また、判定には、受信強度に代えて他の受信状態を示すパラメータが用いられてもよい。例えば、判定には、計測用信号の到達時間が用いられてもよい。計測用信号に送信タイミングを示す情報が含まれれば、計測用信号を受信した無線タグ１０は到達時間を算出することができ、到達時間を示す到達時間情報を照明器具に返信することができる。この場合、制御部２７は、例えば、到達時間が閾値未満であると判定すると、光源２４の第一発光状態を維持し、到達時間が閾値以上であると判定すると、光源２４を第一発光状態から第二発光状態に変更する。
【００６０】
［変形例３］
上記実施の形態では、照明システム１００は、店舗におけるアイキャッチ用途に用いられたが、照明システム１００の使用はこのような態様に限定されない。図８は、照明システム１００の別の使用用途を説明するための図である。
【００６１】
図８では、照明装置２０は、トイレの天井に取り付けられる。ここで、無線タグ１０がトイレの個室の床または壁に取り付けられれば、人４０が個室内にいるときに人４０が無線タグ１０と照明装置２０との間に位置する。このため、照明装置２０は、個室内の人４０の有無に応じて光源２４の発光状態を変更することができる。照明装置２０は、例えば、個室内に人４０がいるときに光源を点灯させ、個室内に人４０がいないときに光源を消灯することができる。つまり、照明システム１００は、無線タグ１０と照明装置２０との間の電波の伝搬状態を人感センサ的に使用することができる。
【００６２】
なお、赤外線センサを用いて照明装置２０を点灯及び消灯させる従来の構成が知られているが、このような構成においては、個室内の人４０の動きが少ないと個室内に人４０がいるにも関わらず照明装置２０が消灯してしまうことがある。照明システム１００では、このように人４０の動きが少ない場合に照明装置２０が消灯してしまうことが抑制される。
【００６３】
［変形例４］
また、照明システム１００は、無線タグ１０と照明装置２０との間の電波の伝搬状態を光源２４の制御以外に使用するシステムに利用されてもよい。図９は、照明システム１００が商品の在庫管理システムとして利用される例を説明するための図である。
【００６４】
図９では、照明システム１００は、商品６０の在庫管理に用いられる。例えば、無線タグ１０が店舗における商品棚３０の載置面に取り付けられれば、商品棚３０に商品６０があるときには、商品６０が無線タグ１０と照明装置２０との間に位置する。このため、照明装置２０は、無線タグ１０と照明装置２０との間の電波の伝搬状態（つまり、受信状態）に基づいて、商品６０の有無を判定することができる。
【００６５】
ここで、図１０に示されるように、照明装置２０からサーバ装置７０へ商品６０の有無を示す情報が送信されれば、サーバ装置７０は、商品６０の在庫を管理することができる。図１０は、照明システム１００を利用した商品６０の在庫管理システムの概要を示す図である。ユーザは、例えば、携帯端末５０などの情報端末を用いてサーバ装置７０にアクセスすることにより、商品６０の在庫情報を取得することができる。
【００６６】
［変形例５］
また、照明システム１００は、無線タグ１０及び照明装置２０を複数組備えてもよい。図１１は、無線タグ１０及び照明装置２０を複数組備える照明システムの概要を示す図である。
【００６７】
図１１に示される照明システム１００ａにおいては、複数の照明装置２０が携帯端末５０を通じて行われたペアリング作業によって相互に通信可能である。そして１つの照明装置２０は、サーバ装置７０と通信可能である。このような照明システム１００ａは、複数組の無線タグ１０及び照明装置２０のそれぞれから、当該無線タグ１０及び照明装置２０の間における物体の有無の検知ログをサーバ装置７０に送信することができる。ユーザは、携帯端末５０などの情報端末を用いてサーバ装置７０にアクセスすることにより、検知ログ情報を取得することができる。
【００６８】
［変形例６］
上記実施の形態において、照明システム１００は、空調機器またはスピーカなどと連携し、受信強度に基づいて空調機器またはスピーカをさらに制御してもよい。
【００６９】
［効果等］
以上説明したように、照明システム１００は、無線タグ１０と、照明装置２０とを備える。無線タグ１０は、第一電波通信部１１を備える。照明装置２０は、光源２４と、第一電波通信部１１と通信する第二電波通信部２１と、第一電波通信部１１及び第二電波通信部２１の一方によって送信された信号の他方における受信状態を取得する取得部２６と、取得された受信状態に基づいて、光源２４の発光状態を制御する制御部２７とを備える。無線タグ１０は、無線通信装置の一例である。
【００７０】
このような照明システム１００は、無線タグ１０及び照明装置２０の間の電波の伝搬状態に基づいて光源２４の発光状態を制御することができる。
【００７１】
また、例えば、無線タグ１０は、光源２４が発する光の照射範囲２８内に設置される。
【００７２】
このような照明システム１００は、光源２４が発する光の照射範囲２８における電波の伝搬状態に基づいて光源２４の発光状態を制御することができる。
【００７３】
また、例えば、無線タグ１０は、さらに、第二電波通信部２１によって送信された信号の第一電波通信部１１における受信状態を計測する計測部１４を備える。第二電波通信部２１は、計測された受信状態を示す受信状態情報を第一電波通信部１１から受信する。取得部２６は、受信された受信状態情報から受信状態を取得する。
【００７４】
このような照明システム１００は、第二電波通信部２１によって送信された信号の第一電波通信部１１における受信状態に基づいて、光源２４の発光状態を制御することができる。
【００７５】
また、例えば、無線タグ１０は、さらに、第一電波通信部１１、及び、計測部１４を収容する収容体１５を備える。
【００７６】
このような無線タグ１０は、第一電波通信部１１、及び、計測部１４を一体的に保持することができる。
【００７７】
また、例えば、制御部２７は、取得された受信状態と閾値とを比較することにより、光源２４の発光状態を制御する。取得部２６は、第一電波通信部１１と第二電波通信部２１との間に物体が存在しない状態における第一受信状態、及び、第一電波通信部１１と第二電波通信部２１との間に物体が存在する状態における第二受信状態を取得する。制御部２７は、取得された第一受信状態及び第二受信状態に基づいて閾値を決定する。
【００７８】
このような照明システム１００は、実測された受信状態に基づいて閾値を決定することができる。
【００７９】
また、例えば、制御部２７は、取得された第一受信状態、及び、取得された第二受信状態の差が所定値よりも小さい場合に、無線タグ１０の設置位置に関する通知を行うための通知情報を第二電波通信部２１に送信させる。
【００８０】
このような照明システム１００によれば、ユーザは、無線タグ１０の設置位置を見直すことができる。
【００８１】
また、照明システム１００が実行する制御方法は、第一電波通信部１１及び第二電波通信部２１の一方によって送信された信号の他方における受信状態を取得し、取得された受信状態に基づいて、光源２４の発光状態を制御する。
【００８２】
このような制御方法は、無線タグ１０及び照明装置２０の間の電波の伝搬状態に基づいて光源２４の発光状態を制御することができる。
【００８３】
（その他の実施の形態）
以上、実施の形態について説明したが、本発明は、上記実施の形態に限定されるものではない。
【００８４】
例えば、照明システムには携帯端末が含まれ、上記実施の形態において照明装置によって行われた処理の一部または全部が携帯端末によって行われてもよい。例えば、閾値の決定処理は、携帯端末によって行われてもよい。
【００８５】
また、上記実施の形態において、照明装置は、例えば、照明器具と当該照明器具に取り付けられるランプ（言い換えれば、照明用光源）によって構成されるが、照明装置の具体的態様は特に限定されない。例えば、照明装置は、上記ランプの態様で実現されてもよい。
【００８６】
また、上記実施の形態で説明した装置間の通信方法は、一例である。装置間の通信方法については特に限定されるものではない。装置間で行われる無線通信は、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信などである。
【００８７】
また、上記実施の形態において、特定の処理部が実行する処理を別の処理部が実行してもよい。また、複数の処理の順序が変更されてもよいし、複数の処理が並行して実行されてもよい。
【００８８】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８９】
また、各構成要素は、ハードウェアによって実現されてもよい。例えば、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００９０】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、照明システムを構成する装置（無線タグ、または、照明装置）として実現されてもよい。また、本発明は、上記実施の形態の制御方法をコンピュータに実行させるためのプログラムとして実現されてもよいし、このようなプログラムが記録されたコンピュータ読み取り可能な非一時的な記録媒体として実現されてもよい。また、本発明は、携帯端末を、上記実施の形態で説明されたような閾値を設定するためのユーザインターフェースとして機能させるためのプログラムとして実現されてもよいし、このようなプログラムが記録されたコンピュータ読み取り可能な非一時的な記録媒体として実現されてもよい。
【００９１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９２】
１０  無線タグ（無線通信装置）
１１  第一電波通信部
１４  計測部
１５  収容体
２０  照明装置
２１  第二電波通信部
２４  光源
２６  取得部
２７  制御部
２８  照射範囲
４０  人（物体）
６０  商品（物体）
７０  サーバ装置
１００、１００ａ  照明システム
【図１】
2020107391.tif 000003
【図２】
2020107391.tif 000004
【図３】
2020107391.tif 000005
【図４】
2020107391.tif 000006
【図５】
2020107391.tif 000007
【図６】
2020107391.tif 000008
【図７】
2020107391.tif 000009
【図８】
2020107391.tif 000010
【図９】
2020107391.tif 000011
【図１０】
2020107391.tif 000012
【図１１】
2020107391.tif 000013